(57)【要約】  【発明が解決しようとする課題】  記録媒体に内蔵されたＲＦＩＤタグの情報を大量に書き換えたり消去するような場合においては、記録媒体を手に持つ、リーダ/ライタに近づける、もしくは情報が書き換わったのを確認して再度記録媒体を手に持つ、というような手順を枚数分繰り返さなければならない。  【課題を解決するための手段】  連続的に記録媒体を供給、搬送しながらも画像記録は行わず、ＲＦＩＤタグに記録された電子情報の書き換え、又は消去のみを連続して行うようにした。  【選択図】    図２
2006035798.tif 000002
【特許請求の範囲】
【請求項１】
無線通信素子を内蔵する記録媒体表面に画像を記録すると同時に前記無線通信素子にデータの読み書きを行う画像記録装置において、画像の記録を行うことなく、前記無線通信素子にデータの読み書きを選択的に行う制御手段を有することを特徴とする画像記録装置。
【請求項２】
前記記録媒体は、定型に裁断されたカット紙であることを特徴とする請求項１に記載の
画像記録装置。
【請求項３】
前記被記録媒体は、長尺の台紙に仮着された連続ラベル紙であることを特徴とする請求項１に記載の画像記録装置。
【請求項４】
前記被記録媒体は、長尺の連続タグ紙であることを特徴とする画像記録装置。
【請求項５】
前記制御手段は、前記無線通信素子に予め記憶されていた電子情報を、新たなデータに書換えることを特徴とする請求項１に記載のＲＦＩＤ記録機能付き画像記録装置。
【請求項６】
前記制御手段は、前記非接触ＩＣに予め記録されていた電子情報を初期化することを特徴とする請求項１に記載の画像記録装置。
【請求項７】
前記記録媒体の供給手段から連続的に供給される複数の記録媒体に対して、移動中に前記データの書換えを行うことを特徴とする請求項１に記載の画像記録装置。
【発明の詳細な説明】
【技術分野】
【０００１】
本発明は、画像記録を行う画像記録装置に、非接触ＩＣの記録機能を付加した、所謂ＲＦＩＤ記録機能付き画像記録装置に関するものである。
【背景技術】
【０００２】
近年登場した自動認識技術の一つであるＲＦＩＤ（Radio Frequency IDentification）システムは、非接触による同時複数読み取り等のメリットを活かし、従来のバーコード、二次元コードに代わるもの、あるいは補完するものとして様々な分野で期待されている技術である。
【０００３】
このＲＦＩＤシステムは、電子回路を搭載し情報を保持するＲＦＩＤタグとＲＦＩＤリーダ/ライタから構成され、データキャリアとして非接触ＩＣを用いる点が特徴である。
非接触ＩＣのデータ通信に必要となる電力は、電磁誘導現象を利用して発生させるため、データキャリアに電源を搭載する必要がなく低コストであるということも、注目を集めている理由の一つと言える。
【０００４】
ＲＦＩＤシステムの特徴として、データの新規書き込み及び追記、複数のＲＦＩＤタグとの同時通信、障害物の影響を受けにくい等が挙げられる。これらはバーコードや二次元コード等、これまでの自動認識技術には無かった機能である。その利便性から、これまでの自動認識技術では自動化が困難であった分野だけでなく、これまでバーコード、二次元コードで自動化が行われてきた、物流・流通分野においても、その利便性が注目されている。このような分野では、物流ラベル・添付カード・商品タグ等の媒体にＲＦＩＤタグを搭載し、バーコードや二次元コードにエンコードしていた情報を非接触ＩＣに記憶させるというような用途に比較的多く用いられている。
【０００５】
また、社員証や学生証等のＩＤカード分野においても、これまでの磁気テープや接触型ＩＣを置き換える形での採用が進んでいる。
【０００６】
このような例では、媒体表面に可視情報を記録し、それに加えて非接触ＩＣに電子情報を書き込む必要があるが、複数の機器で分担して行うのは自動化・効率化という自動認識技術を採用する目的からも好ましくない。そこで、従来の画像記録装置にＲＦＩＤリーダ/ライタを踏査し、媒体表面に対する画像記録を一括して非接触ＩＣに電子情報を書き込むＲＦＩＤ記録機能付き画像記録装置を使用するのが最適である。
【０００７】
ＲＦＩＤ機能付き画像記録装置により出力された媒体は、例えばＩＤカードであれば、各種施設の入退室管理に使用されたりする。この例では、施設出入り口にはＲＦＩＤリーダ/ライタが設置され、入退室を希望する人がＲＦＩＤタグ付きのＩＤカードをリーダ/ライタにかざすことにより、非接触ＩＣ内に記憶された電子情報が読み出される。この場合、読み出された電子情報は、個人を特定するための個人情報である。リーダ/ライタはデータベースと接続されており、読み込んだ電子情報をデータベースと照合、入退室の権利があれば開錠する。
【０００８】
リーダ/ライタがデータベースと接続されていない場合、非接触ＩＣには個人情報ではなく、特定の施設に対する入退室の許可/不許可の情報のみが記憶される。リーダ/ライタは、非接触ＩＣの情報を読み取った際、それが許可を表す情報であれば、個人を特定することなく無条件に開錠する。
（例えば特許文献1）
【０００９】
【特許文献１】特開２００１-１６０１６２（４〜５ページ、図１）
【発明の開示】
【発明が解決しようとする課題】
【００１０】
例えば、上記従来の方法で示したＩＤカードのような使用法において、有効期限の切れたカードを処分する場合、最も安直な方法では物理的に破壊してしまう、或いは回収した非接触ＩＣの電子情報を消去してから廃棄することが望ましい。これはセキュリティー上の問題と秘密保持の観点からであるのだが、これを行うためには当然であるが、リーダ/ライタが別途必要となる。
【００１１】
一般的なＩＤカードの場合、情報の更新や廃棄が、例えば３月、４月等に集中することが多い。しかしながら、一般的なリーダ/ライタはＲＦＩＤタグを手に持ち、近くにかざすことで情報を読み込む、もしくは書き込む形式のものがほとんどで、一度に大量のＲＦＩＤタグの情報を書き換えたい場合であっても、１枚ずつ手でリーダ/ライタにＲＦＩＤタグをかざさなくてはならない。
【００１２】
このように、一度に大量のＲＦＩＤタグの情報を書き換える、もしくは消去するような場合においては、
1.ＲＦＩＤタグを手に持つ、
2.ＲＦＩＤタグをリーダ/ライタに近づける、
3.情報が書き換わったのを確認して1.に戻る、
というような手順を枚数分繰り返さなければならない。これは非常に時間のかかる作業である。
【課題を解決するための手段】
【００１３】
本発明によるＲＦＩＤ記録機能付き画像記録装置は、上記の問題を解決するため、操作者の指示があった場合にのみ、連続的に記録媒体を供給、搬送しながらも画像記録は行わず、ＲＦＩＤタグに記録された電子情報の書き換え、消去のみを連続して行う機能を有する。
【発明の効果】
【００１４】
本発明によれば、ＲＦＩＤタグを取り付けられた大量の被記録媒体に対し、連続的、かつ自動的にＲＦＩＤタグ内の情報を書き換え、もしくは消去することが可能となる。
【発明を実施するための最良の形態】
【００１５】
以下に本発明を実施するための最良の実施形態について詳細に説明する。
【００１６】
（第１の実施例）
第１図は、本実施例におけるＲＦＩＤ記録機能付き画像記録装置（以下プリンタ）の模式図である。
【００１７】
本実施例におけるプリンタ１００は、定型に裁断された被記録媒体であるカット紙に対して印刷を行う、所謂カードプリンタと呼ばれるものである。カット紙（用紙）には、名刺・葉書の他、身分証等に用いられるクレジットカードサイズの紙、封筒等がある。また、用紙１０１には図示しないＲＦＩＤタグが内蔵されているものとする。これらの用紙１０１は、用紙トレイ１０２に積載され、印刷時は用紙１０１を上から順にピックアップしながら用紙搬送部１０３に供給される。
【００１８】
用紙給紙部１０４は主に、用紙トレイ１０２、ピックアップローラ、斜送ローラ等の機構部品の他、用紙トレイ１０２を昇降させるトレイモータ、ピックアップローラと斜送ローラを回転させるピックアップモータ、ピックアップローラを用紙表面に接触させるピックアップソレノイド、用紙、トレイの位置を検出するフォトインタラプタ等の電気部品から構成される。ピックアップモータは印刷時、常に回転しているが、ピックアップソレノイドに通電されない限り空転状態となっている。ピックアップソレノイドに通電させると、ピックアップローラの位置が変わり用紙１０１に接触。積載された用紙１０１の内、最も上の１枚だけが用紙搬送部１０３に供給される。
【００１９】
用紙搬送部１０３は、主に搬送ベルトと、それを駆動する搬送モータで構成され、印刷時は図中の矢印方向に用紙を既定の速度で搬送する機能を有する。
【００２０】
本実施例におけるプリンタは、画像記録手段としてインクジェット記録ヘッドであるブラック（Ｋ）ヘッド１０５、シアン（Ｃ）ヘッド１０６、マゼンタ（Ｍ）ヘッド１０７、イエロー（Ｙ）ヘッド１０８を搭載している。さらに、これら基本色の他に、より階調性を高めるためライトシアン（ＬＣ）ヘッド１０９、ライトマゼンタ（ＬＭ）ヘッド１１０を備え、階調性の高いフルカラーの画像記録が可能である。これらのヘッドは積載できる用紙１０１の最大幅に対応する長さのノズル列を持った、所謂フルラインタイプのインクジェットヘッドである。
【００２１】
記録ヘッド１０５〜１１０は、通常インクの乾燥を防ぐためゴム等密着性の高い素材で形成されたキャップに覆われた状態で待機している。印刷時は図示しないヘッド昇降モータにより、用紙搬送部１０３から数ミリメートルの高さに移動し、センサにより検出した用紙１０１の位置に従い、ホストコンピュータから指定された個所にインクを吐出、画像を形成する。
【００２２】
吐出するインクは、Ｋインクカートリッジ１１１、Ｃインクカートリッジ１１２、Ｍインクカートリッジ１１３、Ｙインクカートリッジ１１４、ＬＣインクカートリッジ１１５、ＬＭインクカートリッジ１１６から、図示しないインク供給ポンプにより、それぞれの記録ヘッドに供給される。
【００２３】
用紙出口の近傍には、ＲＦＩＤタグに対して電子情報の読み書きを行うＲＦＩＤ通信用アンテナ１１７が設けられ、画像記録が正常に終了した用紙１０１内のＲＦＩＤタグに対して、ホストコンピュータから指定された情報を書き込む処理を行う。ＲＦＩＤ通信用アンテナ１１７は情報書込みの他、既にＲＦＩＤタグに記録されている情報を読み込んだり、あるいは既に記録された情報を消去したりすることもできる。
【００２４】
第２図は、本実施例におけるプリンタの簡易ブロック図である。
【００２５】
プリンタ１００には、用紙１０１に内蔵されたＲＦＩＤタグ２００と通信を行うためのＲＦＩＤリーダ/ライタ２０２及びＲＦＩＤ通信用アンテナ１１７がＣＰＵに接続されており、任意のプログラムに従ってＲＦＩＤタグとの通信を行うことができる。
【００２６】
またプリンタ１００には、プリンタ１０１を制御するためのプログラムが格納されたＦＬＡＳＨ ＲＯＭ２０４、ホストコンピュータから転送された印刷データの一時保存やプログラムを実行するためのワークメモリとして使用されるＲＡＭ２０５、記録ヘッド１０５〜１１０の位置制御を行うヘッド機構制御部２０８、記録ヘッド１０５〜１１０からインクを吐出するための電圧印加を制御するヘッド駆動部２０６、プリンタのステータスを表示するＬＣＤ表示部および操作用スイッチの付いたオペレーションパネル２１３、ホストコンピュータと通信を行うための外部インターフェース２１２、制御プログラムを実行し、プリンタ全体のコントロールを行うＣＰＵ２１１から構成される。ＣＰＵ２１１は、用紙給紙部１０４及び用紙搬送部１０３の制御も行う。
【００２７】
用紙１０１に内蔵されているＲＦＩＤタグ２００は、電源を必要としないパッシブ方式を使用している。ＲＦＩＤリーダ/ライタ２０２との通信は無線電波により行われ、発信された電波によりＲＦＩＤタグ２００に必要な電力を供給し通信を行う。ＲＦＩＤタグ２００は、無線電波をＲＦＩＤ通信用アンテナ２１４で受信し、起電力としてＣＰＵ２１８に供給すると同時にデータ通信を行う。ＣＰＵ２１８は、ＲＯＭ２１６とＲＡＭ２１７を用いてＲＯＭ２１６から読み出したデータの送信、ＲＯＭ２１６への受信データ書込み等を、受信コマンドに従い実行する。
【００２８】
第３図は用紙１０１とＲＦＩＤタグ２００の内蔵例を表す模式図である。用紙１０１は２枚の紙を重ね合わせた形態となっており、間にＲＦＩＤタグ２００が挟みこまれる形で内蔵されている。よって用紙１０１の外側からはＲＦＩＤタグ２００の存在を確認することはできない。本実施例におけるＲＦＩＤタグ２００では、ＣＰＵ２１８、ＲＯＭ２１６、ＲＡＭ２１７が１チップ化されており、プリント配線されたＲＦＩＤ通信用アンテナ２１４に接続されている。これらはフィルム３０１でラミネートされており、インク等の水分と接触しても電子部品が破損しない構成となっている。
【００２９】
次に第４図を用い、本実施例におけるプリンタでＲＦＩＤ身分証を発行する場合について、ホストコンピュータ４００上で動作するＲＦＩＤカード発行用アプリケーション４０６の動作を説明する。またシステムとして、発行済みのＲＦＩＤカードを読み取るためのアプリケーションについても簡単に説明する。
【００３０】
ホストコンピュータ４００には、写真撮影用アプリケーション４０２、ＲＦＩＤカード発行用アプリケーション４０６、個人情報記録用データベースが不図示のハードディスクに記録されている。
【００３１】
撮影用アプリケーション４０２は、不図示のカメラから入力された画像情報を画像表示部４０３にリアルタイム表示を行い、撮影ボタン４０４をマウス４１７で押すことにより画像表示部に表示されている画像が干すとコンピュータ内のハードディスクに記録される。記録された画像は、サムネール表示部４０５に表示される。サムネール表示部４０５には、過去に撮影した画像の一覧がサムネール表示される。
【００３２】
ＲＦＩＤカード発行用アプリケーション４０６には、個人情報を登録するための画像入力部４０９、発行日表示部４０７、ＩＤ表示部４０８、所属入力部４１０、名前入力部４１１、備考入力部４０９、有効期限入力部４１３、登録者一覧表示ボタン４１４、印刷開始ボタン４１５からなり、サムネール表示部４０５に登録された写真画像をマウス４１７を使用してドラッグし画像入力部４０９にドロップすることで、ＲＦＩＤカード発行用アプリケーションに画像が登録される。所属入力部４１０、名前入力部４１１、備考入力部４１２、有効期限入力部４１３については、キーボード４０１を使用して情報を入力する。
【００３３】
印刷開始ボタン４１５をマウス４１７を使用して押すことにより、入力された個人情報のホストコンピュータ内のデータベースへの登録と、ＲＦＩＤ記録機能付き画像記録装置へのデータ送信が開始される。
【００３４】
また登録者一覧表示ボタン４１４を押すことにより、過去に登録された個人情報が一覧表示され、登録情報の表示やＲＦＩＤカードの再発行等が可能となっている。
【００３５】
また、ホストコンピュータ４００の図示しないハードディスク内には、プリンタ操作ユーティリティーアプリケーションが保存されている。これはプリンタ１００に対して印刷データを除く各種動作コマンドを送信できるものである。動作コマンドとは、例えば記録ヘッド１０５〜１１０の吐出を良好に行うためのクリーニング処理、吐出状態を確認するためのテストパターン印刷等である。プリンタ操作ユーティリティーアプリケーションは、単体のアプリケーションであっても良いし、プリンタドライバや他のソフトウェアの１機能として内蔵されていても良い。本実施例においては、ＲＦＩＤカード発行用アプリケーション４０６の１機能として実装されている。本実施例におけるプリンタ操作ユーティリティーアプリケーションでは、前述のクリーニング処理、テスト印刷実行の他に、ＲＦＩＤデータ書込みモードを切り替えるコマンドを発行することが可能である。
【００３６】
ＲＦＩＤデータ書込みモードには以下の２種類がある。
通常モード
印刷する画像データに、ＲＦＩＤタグに書き込む電子情報を付加して送信。画像印刷処理と同時にＲＦＩＤタグに対するデータ書込みを行うモード。電子情報が付加されていない場合は、通常の画像印刷のみを行う。
ＲＦＩＤ書込みモード
画像データは送信せず、ＲＦＩＤタグに書き込む電子情報のみを送信する。プリンタ１００は画像印刷処理を行わず、ＲＦＩＤタグに対するデータ書込みのみを連続して行う。
【００３７】
クライアントコンピュータ４１６には、ＲＦＩＤカード承認用アプリケーション４２７が不図示のハードディスクに記録されている。ＲＦＩＤカード承認用アプリケーション４２７には、登録者写真画像表示部４１８、ＩＤ番号表示部４１９、所属表示部４２０、名前表示部４２１、備考表示部４２２、発行日表示部４２３、有効期限表示部４２４、承認確認表示部４２５からなり、クライアントコンピュータ４１６に接続されたＲＦＩＤリーダ/ライタ（不図示）から読み込んだＲＦＩＤカード内のＩＤ情報からホストコンピュータ４００内の個人情報記録用データベースにアクセスし、該当する個人情報とＩＤカードの承認情報を取得する。取得した情報から各表示部４１８〜４２５に表示を行う。
【００３８】
第５図は、本実施例におけるプリンタの、「通常モード」の印刷処理を表したフローチャートである。
まず、ＲＦＩＤタグ２００に書き込む電子データ、印刷枚数や用紙サイズ等の各種パラメータと実際に印刷する画像のデータは、印刷を指示するコマンドと共にホストコンピュータ４００から送信され、プリンタ１００内のＲＡＭ２０５に展開される（５００）。
次に受信した用紙サイズのチェック等、印刷パラメータの解析を行う。このとき同時に、ＲＦＩＤタグ２００に書き込むべき電子データが付加されているかも確認しておく（５０１）。
【００３９】
電子データが付加されていない場合、ＲＦＩＤリーダ/ライタ２０２の動作を停止させ（５０２）、以下の通り一般的なカードプリンタと同様の印刷処理を行う。
まず用紙搬送部１０３の搬送モータを既定の速度で回転させ、用紙搬送の準備を整える（５０３）。次に用紙給紙部１０４の、用紙トレイ１０２の高さを給紙に最適な高さに調整する。そして給紙モータを既定の速度で回転させ、ピックアップソレノイドに通電、用紙１０１を用紙搬送部１０３に供給する（５０４）。
【００４０】
ヘッド機構制御部２０８は、記録ヘッド１０５〜１１０を印刷位置に移動させ、フォトインタラプタ等の位置センサで用紙の位置を判断、定位置に到達したところでインクの吐出を開始する（５０５）。
【００４１】
インクの吐出が完了したら印刷した用紙１０１を排出する（５１２）。設定された枚数分の印刷が完了していたら（５１３）、用紙搬送部１０３、用紙給紙部１０４を停止させ処理を終了する。設定枚数に満たないようであれば５０１に戻り、印刷処理を継続する。
【００４２】
次にＲＦＩＤタグ２００に対するデータ書込みがホストコンピュータ４００より指示された場合の印刷処理について説明する。
【００４３】
まずＲＦＩＤリーダ/ライタの動作設定を行う（５０６）。設定項目は書き込むべきデータ、通信速度等である。
【００４４】
画像の印刷処理については前述のものと同様である。用紙搬送部１０３（５０７）、用紙給紙部１０４の駆動（５０８）、ヘッド移動とインク吐出処理（５０９）を順次行い、用紙１０１上の指定された位置に画像印刷を行う。
画像印刷が正常に終了した後、用紙搬送部１０３の出口付近に設置されたＲＦＩＤ通信用アンテナ１１７を用いて、ＲＦＩＤタグ２００と通信。データを書き込む。
【００４５】
次に、第６図を用いて「ＲＦＩＤ書込みモード」の動作について説明する。
まずホストコンピュータ４００上で動作するプリンタ操作ユーティリティーアプリケーションで、プリンタ１００にモード変更コマンドと設定項目を送信する（６００）。プリンタ１００が「通常モード」で動作している場合は、モード変更コマンドを送信して、「ＲＦＩＤ書込みモード」に変更する必要がある。
【００４６】
設定項目には、ＲＦＩＤタグ２００に書き込む電子情報、書込みを行う用紙の枚数等が挙げられる。これらの設定情報は、ＲＦＩＤリーダ/ライタ２０２に設定される（６０１）。
【００４７】
ＲＦＩＤタグ２００に対する処理内容が決定したら、画像印刷時同様、用紙搬送部１０３の駆動と用紙の給紙を開始する（６０２、６０３）。このときヘッド機構制御部２０６は動作せず、記録ヘッド１０５〜１１０はキャップされたままとなっている。
【００４８】
用紙搬送部１０３により搬送され、ＲＦＩＤ通信用アンテナ１１７近傍を通過した用紙１０１は、ホストコンピュータ４００から受信したデータを書き込まれ（６０４）、排出される（６０５）。
【００４９】
設定された枚数分の書込みが終了したかどうかを判断し（６０６）、終了であれば用紙搬送部１０３、用紙給紙部１０４を停止させる（６０７）。設定された枚数に満たない場合には、６０１に戻り書込み処理を続行する。
【００５０】
本実施例におけるプリンタは、用紙トレイ１０２に積載されたカード形態の用紙１０１を連続的に給紙し、一定速度で搬送を続けることができる。このシステムを利用することにより、大量の用紙１０１（ＲＦＩＤタグ２００内蔵）に対して、連続的、かつ自動的にＲＦＩＤタグ２００のデータ書換えのみを行うことが可能となる。
【００５１】
（第２の実施例）
本実施例におけるＲＦＩＤ記録機能付き画像記録装置（以下プリンタ）は、第１の実施例におけるプリンタと同様の形態を有するものであり、第１図及び前述の説明を参照していただくことで、ここでは説明を割愛する。
【００５２】
また、電気的ブロック図、通常モードにおける印刷処理のフローチャート、用紙のＲＦＩＤ内蔵形態についても第１の実施例と同様であるため、説明を割愛する（第２図、第３図、第５図及びその説明を参照）。
【００５３】
ここで、ホストコンピュータ４００の動作について、第１の実施例と異なる点について説明する。ホストコンピュータ４００上で動作する各種アプリケーションについては、第１の実施例と同様である。本実施例では、設定できるＲＦＩＤ書込みモードが以下のように異なる。
通常モード
印刷する画像データに、ＲＦＩＤタグに書き込む電子情報を付加して送信。画像印刷処理と同時にＲＦＩＤタグに対するデータ書込みを行うモード。電子情報が付加されていない場合は、通常の画像印刷のみを行う。
ＲＦＩＤ消去モード
画像データは送信せず、消去枚数のみを送信する。プリンタ１００は、画像印刷処理を行わず、ＲＦＩＤタグのデータ消去のみを連続して行う。
【００５４】
ここで、第７図を用いて「ＲＦＩＤ消去モード」の動作について説明する。
【００５５】
まずホストコンピュータ４００上で動作するプリンタ操作ユーティリティーアプリケーションで、プリンタ１００にモード変更コマンドと設定項目を送信する（７００）。プリンタ１００が「通常モード」で動作している場合は、モード変更コマンドを送信して、「ＲＦＩＤ消去モード」に変更する必要がある。
【００５６】
設定項目は、消去するＲＦＩＤタグ２００の枚数のみであり、この値がＲＦＩＤリーダ/ライタ２０２に設定される。ただし、用紙１０１の給紙毎にＣＰＵ２１１からＲＦＩＤリーダ/ライタ２０２に消去コマンドを送信することで同様の機能を実現することは可能なので、必ずしも枚数をＲＦＩＤリーダ/ライタ２０２に設定する必要はない。
【００５７】
設定が終了し給紙準備が整ったら、画像印刷時同様、用紙搬送部１０３の駆動と用紙の給紙を開始する（６０２、６０３）。このときヘッド機構制御部２０６は動作せず、記録ヘッド１０５〜１１０はキャップされたままとなる。
【００５８】
給紙された用紙１０１は、用紙搬送部１０３により搬送され、ＲＦＩＤ通信用アンテナ１１７近傍を通過する際に、ＲＦＩＤリーダ/ライタ１１７によってＲＦＩＤタグ２００に記録されたデータの全てが消去される（７０４）。処理の終了した用紙１０１はプリンタ１００から排出される（７０５）。
設定された枚数分の消去が終了したかどうかを判断し（７０６）、終了であれば用紙搬送部１０３、用紙給紙部１０４を停止させる（１０７）。設定された枚数に満たない場合には、７０１に戻り消去処理を続行する。
【００５９】
例えばＩＤカードで使用されたＲＦＩＤタグ２００には、個人情報等の漏洩することが許されない情報が記録されることも考えられる。セキュリティーの観点から、データが記録されたままのＩＤカードをそのまま廃棄することは好ましくない。しかしながら、廃棄するＩＤカードが大量にある場合、従来の方法ではＲＦＩＤリーダ/ライタに１枚ずつ手でＩＤカードをかざす必要があり、大変な労力となっていた。
【００６０】
本実施例におけるプリンタは、連続的、かつ自動的にＲＦＩＤタグ２００のデータ消去を行うことができるため、一度に大量のＲＦＩＤタグを廃棄したい場合等に有効である。
【００６１】
（その他の実施例）
第１の実施例で説明したＲＦＩＤ書込みモードの実装、及び第２の実施例で説明したＲＦＩＤ消去モードの実装については、インクジェット方式以外の記録ヘッドを持つプリンタに対しても有効であり、印字方式は何であっても良い。
また、ラインヘッドを用いたページプリンタ以外の、例えば用紙の搬送と記録ヘッドの往復動作により画像を形成するシリアルタイプのプリンタにおいても有効であることは言うまでもない。
【産業上の利用可能性】
【００６２】
本発明はＲＦＩＤタグ等に書込み可能な記録装置への利用が可能である。
【図面の簡単な説明】
【００６３】
【図１】第１の実施例におけるプリンタを説明するための模式図である。
【図２】第１の実施例におけるプリンタの電気的ブロック図である。
【図３】第１の実施例における用紙とＲＦＩＤタグの形態を表す模式図である。
【図４】第１の実施例におけるホストコンピュータの模式図である。
【図５】第１の実施例における通常の印刷処理を表すフローチャートである。
【図６】第１の実施例におけるＲＦＩＤ書込みモードの処理を表すフローチャートである。
【図７】第２の実施例におけるＲＦＩＤ消去モードの処理を表すフローチャートである。
【符号の説明】
【００６４】
第１図            １００  プリンタ
１０１    用紙
１０２    用紙トレイ
１０３    用紙搬送部
１０４    用紙給紙部
１０５    記録ヘッド（Ｋ）
１０６    記録ヘッド（Ｃ）
１０７    記録ヘッド（Ｍ）
１０８    記録ヘッド（Ｙ）
１０９    記録ヘッド（ＬＣ）
１１０    記録ヘッド（ＬＭ）
１１１    インクカートリッジ（Ｋ）
１１２    インクカートリッジ（Ｃ）
１１３    インクカートリッジ（Ｍ）
１１４    インクカートリッジ（Ｙ）
１１５    インクカートリッジ（ＬＣ）
１１６    インクカートリッジ（ＬＭ）
１１７    ＲＦＩＤ通信用アンテナ
第２図            ２００  ＲＦＩＤタグ
２０２    ＲＦＩＤリーダ/ライタ
２０４    ＦＬＡＳＨ ＲＯＭ
２０５    ＲＡＭ
２０６    ヘッド駆動部
２０８    ヘッド機構制御部
２１１    ＣＰＵ
２１２    外部インターフェース
２１３    オペレーションパネル
２１４    ＲＦＩＤ通信用アンテナ
２１６    ＲＯＭ
２１７    ＲＡＭ
２１８    ＣＰＵ
第３図            ３０１  フィルム
第４図            ４００  ホストコンピュータ
４０１    キーボード
４０２    撮影用アプリケーション
４０３    画像表示部
４０４    撮影ボタン
４０５    サムネール表示部
４０６    ＲＦＩＤカード発行用アプリケーション
４０７    発行日表示部
４０８    ＩＤ表示部
４０９    画像入力部
４１０    所属入力部
４１１    名前入力部
４１２    備考入力部
４１３    有効期限入力部
４１４    登録者一覧表示ボタン
４１５    印刷開始ボタン
４１６    クライアントコンピュータ
４１７    マウス
４１８    写真画像表示部
４１９    ＩＤ番号表示部
４２０    所属表示部
４２１    名前表示部
４２２    備考表示部
４２３    発行日表示部
４２４    有効期限表示部
４２５    承認確認表示部
４２７    ＲＦＩＤカード承認用アプリケーション
【図１】
2006035798.tif 000003
【図２】
2006035798.tif 000004
【図３】
2006035798.tif 000005
【図４】
2006035798.tif 000006
【図５】
2006035798.tif 000007
【図６】
2006035798.tif 000008
【図７】
2006035798.tif 000009